(57)【要約】【課題】入浴させるに際して、人を持ち上げる作業を省略できる簡易浴槽を提供すること。【解決手段】簡易浴槽１０は、浴槽本体１２と、浴槽本体１２に取着された袋体１４とを備えている。浴槽本体１２は、シート材１６と防水ファスナー１８を含んで構成されている。シート材１６は、人が載せられる下面部２２と、下面部２２上に折り返される端面部２６とを有している。下面部２２と端面部２６とは展開したときに平坦な一枚のシート材１６となる。防水ファスナー１８は、下面部２２と端面部２６とを水密に結合しそれら下面部２２と端面部２６との間に温水を貯留する浴槽１２Ａを形成する。袋体１４は膨張した状態で、下面部２２の長手方向の一端が他端よりも上位となり、かつ、下面部２２の幅方向の両側が幅方向の中央部分より上位となるように設けられている。【選択図】図１
2009112489.tif 000002
【特許請求の範囲】
【請求項１】
温水が供給される浴槽本体と、
前記浴槽本体に取着されエアーの給排により膨張縮小する袋体とを備え、
前記浴槽本体は、可撓性および防水性を有するシート材と前記シート材に取着された防水ファスナーを含んで構成され、
前記シート材は、幅とこの幅よりも大きい寸法の長さを有し人の肩、背中、腰、脚が載せられる細長形状の下面部を含んで構成され、
前記シート材は、前記防水ファスナーを閉じることにより前記肩が載せられる前記下面部の長手方向の一端を開放部として温水を貯留する浴槽が形成されるように構成されると共に、前記防水ファスナーを開くことで１枚のシート材として平面的に展開されるように構成され、
前記袋体は人の肩、背中、腰、脚が載せられる下面部の面と反対の面に設けられ、空気の供給により膨張した状態で、前記下面部の長手方向の一端が長手方向の他端よりも上位となり、かつ、前記下面部の幅方向の両側部分が幅方向の中央部分より上位となるように設けられている、
ことを特徴とする簡易浴槽。
【請求項２】
前記シート材は、前記下面部に連接され前記下面部上に折り返される上面部を含んで構成されている、
ことを特徴とする請求項１記載の簡易浴槽。
【請求項３】
前記上面部に、前記下面部の長手方向に延在し閉じることで前記上面部の幅を縮小するファスナーが設けられている、
ことを特徴とする請求項２記載の簡易浴槽。
【請求項４】
前記上面部は、前記下面部の長手方向の他端に連接された端面部で構成され、
前記防水ファスナーは、前記下面部の幅方向の両側と、前記端面部の幅方向の両側とを開閉するように設けられている、
ことを特徴とする請求項２または３記載の簡易浴槽。
【請求項５】
前記下面部は、肩、背中、腰、脚に加え頭が載せられる大きさで形成されている、
ことを特徴とする請求項１乃至４に何れか１項記載の簡易浴槽。
【請求項６】
前記下面部の長手方向の他端に位置する前記浴槽の部分を形成する前記シート材の箇所に、温水の給排口が設けられている、
ことを特徴とする請求項１乃至５に何れか１項記載の簡易浴槽。
【請求項７】
請求項６記載の簡易浴槽の前記給排口から前記浴槽に温水を供給する温水タンク及びポンプが設けられている、
ことを特徴とする簡易浴槽装置。
【発明の詳細な説明】
【技術分野】
【０００１】
本発明は、身動きが取れず介護が必要な高齢者や身体障害者などの人に好適な簡易浴槽および簡易浴槽装置に関する。
【背景技術】
【０００２】
自分で身動きがとれない人を対象として開発された簡易浴槽として、従来、持ち運びが便利な形態のものが知られている（特許文献１、特許文献２）。
【特許文献１】特開平９−２３４２３２号公報
【特許文献２】特開２０００−５２６０号公報
【発明の開示】
【発明が解決しようとする課題】
【０００３】
しかしながら、このような従来の簡易浴槽は何れも袋型の形状となっているため、浴槽に入れる際に、また、浴槽から出す際に、数人がかりでその人を一端持ち上げる作業が必要となっていた。
そして、この人を持ち上げる作業は重労働となることから、介護の現場では、何らかの改善が望まれていた。
本発明者は前記事情に鑑み案出されたものであって、本発明の目的は、入浴させるに際して、人を持ち上げる作業を省略できる簡易浴槽および簡易浴槽装置を提供することにある。
【課題を解決するための手段】
【０００４】
前記目的を達成するため本発明の簡易浴槽は、温水が供給される浴槽本体と、前記浴槽本体に取着されエアーの給排により膨張縮小する袋体とを備え、前記浴槽本体は、可撓性および防水性を有するシート材と前記シート材に取着された防水ファスナーを含んで構成され、前記シート材は、幅とこの幅よりも大きい寸法の長さを有し人の肩、背中、腰、脚が載せられる細長形状の下面部を含んで構成され、前記シート材は、前記防水ファスナーを閉じることにより前記肩が載せられる前記下面部の長手方向の一端を開放部として温水を貯留する浴槽が形成されるように構成されると共に、前記防水ファスナーを開くことで１枚のシート材として平面的に展開されるように構成され、  前記袋体は人の肩、背中、腰、脚が載せられる下面部の面と反対の面に設けられ、空気の供給により膨張した状態で、前記下面部の長手方向の一端が長手方向の他端よりも上位となり、かつ、前記下面部の幅方向の両側部分が幅方向の中央部分より上位となるように設けられていることを特徴とする。
また、本発明の簡易浴槽装置は、前記簡易浴槽の前記給排口から前記浴槽に温水を供給する温水タンク及びポンプが設けられている。
【発明の効果】
【０００５】
本発明によれば、自分で身動きがとれない人を、持ち上げることなくゆっくりと転がすことで入浴させることができ、入浴作業を力のない女性のみで効率良く行なうことが可能となる。
また、袋体から空気を抜けば、袋体は扁平となるので、シート材とあわせて簡易浴槽を丸めて運べ、取り扱いも便利である。
【発明を実施するための最良の形態】
【０００６】
以下、本発明の簡易浴槽を図面にしたがって説明する。
図１は簡易浴槽を展開した状態の平面図、図２は簡易浴槽を展開した状態の背面図、図３は浴槽を形成した状態の平面図、図４（Ａ）は袋体を膨張させた状態の浴槽の断面側面図、（Ｂ）は袋体を膨張させた状態の浴槽の断面正面図を示す。
簡易浴槽１０は、温水が供給される浴槽本体１２と、浴槽本体１２に取着されエアーの給排により膨張縮小する袋体１４とを備えている。
【０００７】
浴槽本体１２は、可撓性および防水性を有する合成樹脂製のシート材１６と防水ファスナー１８を含んで構成されている。
このようなシート材１６として、例えば、ネオプレン系のゴムやウレタンエラストマーなどが使用可能である。
シート材１６は、人が載せられるほぼ台形状の下面部２２と、下面部２２に連接され下面部２２上に折り返される上面部２４とを有している。
下面部２２と上面部２４とは１枚のシート材１６として平面的に展開可能であり、より詳細には、展開したときに平坦な一枚のシート材１６となる。
【０００８】
下面部２２は、幅とこの幅よりも大きい寸法の長さを有し人が寝た状態で人の頭、肩、背中、腰、脚が載せられる細長形状に形成されている。本実施の形態では、下面部２２は、ほぼ台形の形状で形成され、台形の高さは、日本人の男子の平均身長を基準とし、その寸法よりも十分大きな寸法で形成され、台形の上底は、日本人の男子の平均肩幅を基準とし、その寸法よりも十分大きな幅で形成されている。
【０００９】
上面部２４は、本実施の形態では、脚の踵が載せられる下面部２２の端部に連接され下部を境に下面部２２上に折り返される長方形状の端面部２６で構成されている。
端面部２６は、前記台形の下底の幅と同じ寸法の均一幅で形成されている。
【００１０】
防水ファスナー１８は、下面部２２とこの下面部２２上に折り返された端面部２６とを水密に結合しそれら下面部２２と端面部２６との間に温水を貯留する浴槽（温水貯留空間）１２Ａを形成するものであり、下面部２２の長手方向の一端が開放部１２Ｂとされる。
本実施の形態では、防水ファスナー１８は、下面部２２の幅方向の両側と、端面部２６の幅方向の両側とに設けられている。
防水ファスナー１８としては市販品が使用され、図１において符号１８０２はエレメント、符号１８０４はスライダー、符号１８０６はエレメント端部の留め具を示している。
【００１１】
袋体１４は人の肩、背中、腰、脚が載せられる下面部２２の面と反対の面に設けられ、その内部への空気の供給により膨張し、空気を抜くことで扁平に畳まれるように設けられている。
そして、袋体１４は、空気の供給により膨張した状態で、人の肩が載せられる下面部２２の長手方向の一端が脚の踵が載せられる下面部２２の長手方向の他端よりも上位となり、かつ、下面部２２の幅方向の両側が幅方向の中央部分より上位となるように設けられ、したがって、袋体１４は、浴槽１２Ａの底面を形どり、また、浴槽１２Ａの底面のエアクッションとしても機能する。本実施の形態では、人の頭が載せられる部分に、横向きの袋体１４０２が２つ設けられ、肩、背中、腰、脚が乗せられる下面部２２の幅方向の両側にそれぞれ縦向きの複数の袋体１４０４が設けられている。なお、それら袋体１４の相互を連通路で連通させておき、単一の空気取り入れ口から空気を供給することでそれら全ての袋体１４を膨張するように構成するなど任意である。
【００１２】
また、下面部２２の長手方向の他端に位置する浴槽１２Ａの部分を形成するシート材１６の箇所に温水の給排口２８が設けられ、本実施の形態では、下面部２２と上面部２４との境の箇所に温水の給排口２８が設けられている。
また、ホース３０を介して給排口２８から浴槽１２Ａに温水を供給する温水タンク３２及びポンプ３４が設けられ、浴槽１２Ａと温水タンク３２とポンプ３４とにより簡易浴槽装置が構成されている。
【００１３】
また、本実施の形態では、下面部２２上にエアバブル発生マット４２が敷かれ、エアポンプ４４からの空気がホース４６を介してマット４２に供給され、浴槽１２Ａの温水に漬かった人の肩、背中、腰、脚の全身に気泡が吹き付けられ、入浴効果が高められるように構成されている。
【００１４】
次に、簡易浴槽１０の使用方法について説明する。
例えば、ベット上で寝ている身動きが取れない人を入浴させる場合について説明する。
まず、身動きが取れない人をベット上の幅方向の端部に移動する。この移動は、身動きが取れない人が寝た状態で自ら回転することで、あるいは、介護者が身動きが取れない人をゆっくりと回転させることでなされる。
つぎに、空いたベットの箇所に、展開した状態のシート材１６を載せる。より詳細には、身動きが取れない人の横に下面部２２を位置させてシート材１６をベット上に平面的に展開し、端面部２６をベットの端部から垂れ下げ、下面部２２上にエアバブル発生マット４２を敷く。
【００１５】
つぎに、身動きが取れない人をエアバブル発生マット４２上に移動する。この移動は、身動きが取れない人が自ら回転することで、あるいは、介護者が身動きが取れない人をゆっくりと回転させることでなされる。
身動きが取れない人がエアバブル発生マット４２上に位置したならば、衣服を脱がし、端面部２６を身動きが取れない人の上に被せ、防水ファスナー１８を閉じて浴槽１２Ａを形成する。これにより、身動きが取れない人の顔を除いた部分は浴槽１２Ａに収容されることになる。
つぎに、袋体１４に空気を供給して袋体１４を膨張させ、人の肩、背中が載せられる下面部２２の部分が脚の踵が載せられる下面部２２の部分よりも上位となり、かつ、下面部２２の幅方向の両側が幅方向の中央より上位となるようにする。この空気の供給は、電動式のポンプを用いることで、あるいは、足踏式のポンプを用いることでなされる。
【００１６】
つぎに、ホース３０、温水タンク３２、ポンプ３４を介して給排口２８から浴槽１２Ａに温水を供給し、循環させ、エアポンプ４４を駆動してエアバブル発生マット４２から気泡を肩、背中、腰、脚に吹き付け、入浴がなされる。
入浴が終了したならば、ポンプ３４を停止し、給排口２８から温水を抜く。この場合、ポンプ３４を逆転して使用した温水タンク３２に戻したり、あるいは、廃棄するなど任意である。
なお、温水を抜いた後に、給排口２８から温風を浴槽１２Ａに供給し、体を乾かすようにしてもよい。
【００１７】
温水を抜いたならば、袋体１４から空気を抜いて袋体１４を扁平にし、防水ファスナー１８を外し、端面部２６を開いてシート材１６を平面的に展開し、端面部２６をベッドの端部から垂れ下げる。
そして、身動きが取れない人の身体を拭き、衣服を着せる。
衣服を着せたならば、前記と同様に、身動きが取れない人を再度ベット上の幅方向の端部に移動し、身動きが取れない人を下面部２２の外側に位置させたならば、簡易浴槽１０をベット上から取り除く。
そして、身動きが取れない人を再度ベットの幅方向の中央に戻し、入浴作業を終了する。
【００１８】
本実施の形態によれば、身動きが取れない人をゆっくりと転がすことで入浴させることができ、重労働となる高齢者を持ち上げる作業を省けるので、入浴作業を力のない女性のみで効率良く行なうことが可能となる。
しかも、身動きが取れない人が寝ているベット上で入浴させることができるので、入浴作業を効率良く行なう上で極めて有利となる。
また、袋体１４から空気を抜けば、袋体１４は扁平となるので、シート材１６とあわせて簡易浴槽１０を丸めて運べ、また、壁に立て掛けて保管するなど、取り扱いも便利である。
【００１９】
なお、本発明では、浴槽１２Ａの容積を調節することも可能である。
図５（Ａ）は浴槽１２Ａの容積の調節を可能とした簡易浴槽の平面図、（Ｂ）は同要部のの断面図を示す。
この簡易浴槽１０では、上面部２４に、下面部２２の長手方向に延在し閉じることで上面部２４の幅を縮小するファスナー５０が設けられている。より詳細には、上面部２４の幅方向の中央の両側部分にそれぞれファスナー５０が設けられ、各ファスナー５０のエレメント５００２は人の頭が位置する上面部２４の長手方向の一端に至るにつれてその間隔が大きくなるように設けられている。
そして、スライダー５００４を上昇させてエレメント５００２を閉じると、エレメント５００２の間に位置する上面部２４の部分２４Ａが浴槽１２Ａの内部側に筒状の形状をなし、これにより浴槽１２Ａの容積を縮小し、使用する温水の量を減らすようにしている。
すなわち、この簡易浴槽１０によれば、使用する温水の量を調節でき、温水の無駄を省く上で有利となる。
【００２０】
つぎに、簡易浴槽１０の変形例について説明する。なお、図１乃至図５に示す簡易浴槽１０と同一の箇所、部材には同一の符号を付して説明する。
図６（Ａ）、（Ｂ）はそれぞれ変形例に係る簡易浴槽の斜視図を示す。
図６（Ａ）に示す簡易浴槽１０Ａでは、上面部２４を、下面部２２の下部に連接され下部を境に下面部２２上に折り返される端面部２６と、下面部２２の左右両側に連接された左側面部６２及び右側面部６４とで構成し、下面部２２上に端面部２６を折り返し、左右側面部６２、６４を下面部２２から起立させて端面部２６の幅方向両側と左右側面部６２、６４の先部とをそれぞれ防水ファスナー６６で結合し、浴槽１２Ａを構成するようにしてもよい。
図６（Ｂ）に示す簡易浴槽１０Ｂでは、上面部２４を、下面部２２の下部に連接され下部を境に下面部２２上に折り返される細幅な端面部２６Ａと、下面部２２の左右両側に連接された左側面部６２及び右側面部６４とで構成し、下面部２２の上に端面部２６を折り返し、左右側面部６２、６４を下面部２２上に折り返し、端面部２６の幅方向両側と左右側面部６２、６４の先部とを防水ファスナー６６により結合し、浴槽１２Ａを構成するようにしている。
あるいは、シート材１６の部分を重ねて上面部２４を構成し、浴槽１２Ａの形状を保持するようにすることも可能である。この場合には、上面部２４を、下面部２２の下部に連接され下部を境に下面部２２上に折り返される端面部２６Ａと、下面部２２の左右両側に連接された左側面部６２及び右側面部６４とで構成し、下面部２２の上に端面部２６を折り返し、下面部２２の幅方向両側と端面部２６の幅方向両側とを防水ファスナーにより結合し、さらに、端面部２６の上に左右側面部６２、６４をそれぞれ折り返し、端面部２６の中央部分の両側と左右側面部６２、６４の先部とを防水ファスナーでそれぞれ結合し、浴槽１２Ａの形状を保持するようにしてもよい。
すなわち、上面部２４を、下面部２２の幅方向の両側に連接した左右の側面部６２、６４を含んで構成したり、シート材１６の部分を重ねて構成する場合もあり、したがって上面部２４の形態、形状は種々考えられ、それら形状に対応して防水ファスナーが複数の上面部どうしを開閉する場合もあり、それら全てに本発明は適用される。
【００２１】
また、本発明の簡易浴槽１０の用途は、自分で身動きがとれない高齢者や身体障害者の入浴に限定されず、家が崩壊された被災地などで使用される場合にも好適となる。
【図面の簡単な説明】
【００２２】
【図１】簡易浴槽を展開した状態の平面図である。
【図２】簡易浴槽を展開した状態の背面図である。
【図３】浴槽を形成した状態の平面図である。
【図４】（Ａ）は袋体を膨張させた状態の浴槽の断面側面図、（Ｂ）は袋体を膨張させた状態の浴槽の断面正面図である。
【図５】（Ａ）は浴槽の容積の調節を可能とした簡易浴槽の平面図、（Ｂ）は同要部の断面図である。
【図６】（Ａ）、（Ｂ）はそれぞれ変形例に係る簡易浴槽の斜視図である。
【符号の説明】
【００２３】
１０、１０Ａ、１０Ｂ……簡易浴槽、１２……浴槽本体、１４……袋体、１６……シート材、１８……防水ファスナー、２２……下面部、２４……上面部、２６……端面部、２８……給排口、３０……ホース、３２……温水タンク、３４……ポンプ、４２……エアバブル発生マット、４４……エアポンプ、４６……ホース。
【図１】
2009112489.tif 000003
【図２】
2009112489.tif 000004
【図３】
2009112489.tif 000005
【図４】
2009112489.tif 000006
【図５】
2009112489.tif 000007
【図６】
2009112489.tif 000008